(57)【要約】      （修正有）【課題】紙葉類を検知するセンサが搬送中央に１個しか配置されない場合の紙葉類の切れ・穴による紙葉類の誤検知を防止する紙葉類処理装置及び誤裁断防止方法を提供する。【解決手段】検知信号ＴＲ０３からデレー信号ＴＲ０３ＤＬ１及びデレー信号ＴＲ０３ＤＬ２を生成する。また、このデレー信号ＴＲ０３ＤＬ１とデレー信号ＴＲ０３ＤＬ２をＯＲし、切れ、穴などが補正されたデレー信号ＴＲ０３ＤＬを生成する。同様に検知信号ＰＣ０９ＦとＰＣ０９ＢをＯＲし検知信号ＰＣ０９を生成する。検知信号ＰＣ０９の先端が検知（暗）されるまでに上記方法によって生成したデレー信号ＴＲ０３ＤＬの暗状態が、４５ｍｍ以上継続していた場合、当該紙葉類が上流から下流に向かって搬送された紙葉類であると判断する（上流通過条件）。この方法によれば切れ・穴がある紙葉類であっても紙葉類の誤認識が発生しない。【選択図】図４
2008183474.tif 000002
【特許請求の範囲】
【請求項１】
紙葉類を搬送する第１搬送手段と、
この第１搬送路によって搬送される前記紙葉類を判別する紙葉類判別手段と、
この判別手段の判別の結果、損券と判別された前記紙葉類を分岐して搬送するための分岐手段と、
この分岐手段によって分岐された前記紙葉類を搬送する第２搬送手段と、
この第２搬送路の搬送方向中央に配置した第１センサと、
この第１センサで前記紙葉類を検知したときの第１検知信号を第１の時間デレーして第１デレー信号を生成する第１デレー信号生成手段と、
前記第１検知信号を第２の時間デレーして第２デレー信号を生成する第２デレー信号生成手段と、
前記第１デレー信号及び前記第２デレー信号の論理和からなるデレー信号を生成する第１論理和生成手段と、
前記第１センサの搬送方向下流に、搬送方向と直交する位置に配置された２個の第２センサと、
これら第２センサの検知信号の論理和を生成して第２検知信号を生成するする論理和生成手段と、
前記紙葉類を裁断する紙葉類裁断装置と、
前記紙葉類が前記第２センサに到達するまでの間に、前記デレー信号が所定の長さ連続して出力されたことを上流通過条件とするとき、この上流通過検知条件を検知する上流通過検知手段と、
この上流通過検知手段による検知の結果、上流通過条件が満たされたとき、当該紙葉類を前記紙葉類裁断装置で裁断することを特徴とする紙葉類処理装置。
【請求項２】
前記第１のデレー時間と前記第2のデレー時間との差の時間に前記紙葉類が移動する移動量が前記紙葉類のダメージを補正する補正量に相当することを特徴とする請求項１記載の紙葉類処理装置。
【請求項３】
前記デレー信号と前記第2検知信号との離間距離は、
搬送方向長さの最小紙葉類の１／２を超え、最大紙葉類の１／２を超えない範囲に設定され、
前記上流通過条件の所定の長さは、
前記最小紙葉類の１／４を超え、最大紙葉類の１／４を超えない範囲に設定されることを特徴とする請求項１記載の紙葉類処理装置。
【請求項４】
紙葉類を搬送する第１工程と、
この第１工程によって判別される前記紙葉類を紙葉類判別手段によって判別する第２工程と、
この第２工程による判別の結果、損券と判別された前記紙葉類を分岐手段によって分岐する第３工程と、
この第３工程により分岐された前記紙葉類を第２搬送路により搬送する第４工程と、
この第４工程により搬送される前記紙葉類を搬送方向中央に配置した第１センサで検知する第５工程と、
前記第１センサで検知した第１検知信号を第１デレー信号生成手段により第１の時間デレーして第１デレー信号を生成する第６工程と、
前記第１検知信号を第２デレー信号生成手段により第２の時間デレーして第２デレー信号を生成する第７工程と、
前記第１デレー信号及び前記第２デレー信号の論理和からなるデレー信号を論理和生成手段によって生成する第８工程と、
前記第１センサの搬送方向下流に、搬送方向と直行する位置に配置された２個の第２センサで検知した検知信号の論理和からなる第２検知信号を生成する第９工程と、
前記紙葉類が前記第２センサに到達するまでの間に、前記デレー信号が所定の長さ連続して出力されたことを上流通過条件とするとき、この上流通過検知条件を上流通過検知手段によって検知する第１０工程と、
この第１０工程による検知の結果、上流通過条件が満たされたとき、当該紙葉類を紙葉類裁断装置で裁断する第１１工程と、
を設けたことを特徴とする紙葉類処理装置の誤裁断防止方法。
【発明の詳細な説明】
【技術分野】
【０００１】
本発明は、有価証券などの紙葉類の裁断処理を行う裁断装置を搭載した紙葉類処理装置に関し、特に、裁断搬送路での誤裁断を防止する紙葉類処理装置及び誤裁断防止方法に関する。
【背景技術】
【０００２】
有価証券などの紙葉類を処理する紙葉類処理装置は、処理単位に応じて一括して投入された紙葉類束から取出装置によって紙葉類を１枚ずつ取出して搬送し、搬送状態検知装置及び紙葉類判別装置によって紙葉類を判別する。
【０００３】
搬送状態検知装置は、取出装置によって取り出された紙葉類の搬送状態を検知し、搬送異常券や２枚取り券を検知した場合には排除券として排除券集積装置に集積する。
【０００４】
紙葉類判別装置は、紙葉類の判別装置によって当該紙葉類の種類（以下、券種と称する。）判別、搬送方向判別、真偽判別（真券か偽券か）及び正損判別（真券で再流通可能な正券か真券で再流通不可能な損券か）を行い、正券、損券及び排除券に分岐する。
【０００５】
このようにして分岐された正券は、集積装置に搬送され、１００枚ごとに紙帯で結束されて把が形成され、放出される。
【０００６】
また、損券は、紙葉類裁断装置に搬送されて紙葉類裁断装置によって裁断される。この紙葉類裁断装置では、紙葉類判別装置で判別された損券のみを裁断する必要があり、誤裁断することは許容されない。そのために、紙葉類裁断装置の前に紙葉類を検知する通過センサを配置し、当該紙葉類が紙葉類判別装置によって損券と判別された紙葉類であることを確認している。（例えば、特許文献１参照。）。
【０００７】
なお、排除券は、排除券集積装置に搬送されて集積され、再処理される。
【特許文献１】特開２００５−１７７６１７号公報  （第３頁、図２）
【発明の開示】
【発明が解決しようとする課題】
【０００８】
しかしながら、特許文献１記載の紙葉類裁断装置では、紙葉類に穴、切れなどが存在した場合に、１枚の紙葉類か２枚の紙葉類か判断できなくなり、紙葉類裁断装置の入口前に設けられた退避集積装置による退避紙葉類が増加するという不具合や、裁断枚数が確定できないという課題を有していた。すなわち、紙葉類判別装置による判別結果に基づいて紙葉類処理装置（以下、装置と称する。）が損券と判別して裁断装置に搬送した紙葉類の枚数と、紙葉類裁断装置の前に配置した通過センサで判別した紙葉類の枚数が異なるという不具合が発生し、装置がジャム（装置障害）状態となり処理効率が悪いという課題があった。
【０００９】
本発明は、上記課題を解決するためになされたもので、紙葉類に切れ、破れがあった場合であっても紙葉類のご判別を防止する紙葉類裁断装置及び誤裁断防止方法を提供することを目的とする。
【課題を解決するための手段】
【００１０】
上記目的を達成するために、本発明の請求項１記載の紙葉類処理装置は、紙葉類を搬送する第１搬送路と、この第１搬送路によって搬送される前記紙葉類を判別する紙葉類判別手段と、この判別手段の判別の結果、損券と判別された前記紙葉類を分岐して搬送するための分岐手段と、この分岐手段によって分岐された前記紙葉類を搬送する第２搬送路と、この第２搬送路の搬送方向中央に配置した第１センサと、この第１センサで前記紙葉類を検知したときの第１検知信号を第１の時間デレーして第１デレー信号を生成する第１デレー信号生成手段と、前記第１検知信号を第２の時間デレーして第２デレー信号を生成する第２デレー信号生成手段と、前記第１デレー信号及び前記第２デレー信号の論理和からなるデレー信号を生成する第１論理和生成手段と、前記第１センサの搬送方向下流に、搬送方向と直交する位置に配置された２個の第２センサと、これら第２センサの検知信号の論理和を生成して第２検知信号を生成するする論理和生成手段と、前記紙葉類を裁断する紙葉類裁断装置と、前記紙葉類が前記第２センサに到達するまでの間に、前記デレー信号が所定の長さ連続して出力されたことを上流通過条件とするとき、この上流通過検知条件を検知する上流通過検知手段と、この上流通過検知手段による検知の結果、上流通過条件が満たされたとき、当該紙葉類を前記紙葉類裁断装置で裁断することを特徴とする。
【００１１】
また、請求項４記載の紙葉類処理装置による紙葉類の裁断方法は、紙葉類を搬送する第１工程と、この第１工程によって判別される前記紙葉類を紙葉類判別手段によって判別する第２工程と、この第２工程による判別の結果、損券と判別された前記紙葉類を分岐手段によって分岐する第３工程と、この第３工程により分岐された前記紙葉類を第２搬送路により搬送する第４工程と、この第４工程により搬送される前記紙葉類を搬送方向中央に配置した第１センサで検知する第５工程と、前記第１センサで検知した第１検知信号を第１デレー信号生成手段により第１の時間デレーして第１デレー信号を生成する第６工程と、前記第１検知信号を第２デレー信号生成手段により第２の時間デレーして第２デレー信号を生成する第７工程と、前記第１デレー信号及び前記第２デレー信号の論理和からなるデレー信号を論理和生成手段によって生成する第８工程と、前記第１センサの搬送方向下流に、搬送方向と直行する位置に配置された２個の第２センサで検知した検知信号の論理和からなる第２検知信号を生成する第９工程と、前記紙葉類が前記第２センサに到達するまでの間に、前記デレー信号が所定の長さ連続して出力されたことを上流通過条件とするとき、この上流通過検知条件を上流通過検知手段によって検知する第１０工程と、この第１０工程による検知の結果、上流通過条件が満たされたとき、当該紙葉類を紙葉類裁断装置で裁断する第１１工程と、を設けたことを特徴とする。
【発明の効果】
【００１２】
本発明によれば、紙葉類に切れ、破れがあった場合であっても紙葉類の誤認識を防止することが可能な紙葉類処理装置及び紙葉類裁断方法を提供することができる。
【発明を実施するための最良の形態】
【００１３】
以下、図面を参照して本発明の実施例を説明する。
【実施例１】
【００１４】
図１は、本発明の実施例１に係る紙葉類裁断装置を搭載した紙葉類処理装置１の概略構成図である。紙葉類処理装置１は、有価証券などの紙葉類Pの真偽（真券か偽券か）又は正損（再流通可能な正券か再流通不可能な損券か）を判断し、正券は紙葉類集積装置１０、１１に集積し、損券は、紙葉類裁断装置９で裁断し、裁断片を収納箱（図示しない）に収集する装置である。
【００１５】
上記紙葉類処理装置１には、積載された紙葉類Pを一括して供給する供給部４が設けられている。この供給部４に積載された紙葉類Pは、取出ローラ４Bによって一定間隔で１枚ずつ取出され、搬送路（搬送手段）５に供給される。この搬送路５は、搬送ローラ（図示しない）と搬送ベルト（図示しない）で構成され、紙葉類Pを搬送方向上流から下流に向かって搬送する。
【００１６】
このようにして、取出ローラ４Bによって供給部４から供給された紙葉類Pは、紙葉類判別装置（紙葉類判別手段）６によって判別される。紙葉類判別装置６は、紙葉類Pの物理的特性を検知して判別するもので、複数の装置で構成されており、搬送方向下流に向かって搬送路５に設けられている。この紙葉類判別装置６の判別結果に基づいて正券と判別された紙葉類Pを集積する紙葉類集積装置１０、１２、損券と判別された紙葉類Pを裁断する紙葉類裁断装置９、偽券又は排除券を集積する排除券集積装置７が設けられている。
【００１７】
なお、この排除券集積装置７には、取出ローラ４Ｂによって取出された紙葉類Pの取り出し状態が例えば複数枚取り出し、搬送ピッチ、券詰まりなどの場合は、搬送方向下流に搬送して処理する分岐ゲートで振り分けられないなどの障害が発生しやすいため、搬送異状を制御部２に通知する。搬送制御部２は、この取出異状の通知を受信し、当該紙葉類Pの搬送方向を振り分ける分岐ゲートＧ０２を回動することにより当該紙葉類Ｐを排除券集積装置７に搬送して集積する。この排除券集積装置７に集積された紙葉類Ｐは、再供給することが可能である。
【００１８】
紙葉類集積装置１０には、上記紙葉類判別装置６の判別の結果、正券と判別された紙葉類Ｐの最初の１００枚が集積される。すなわち、分岐ゲートＧ０４によって振り分けられた紙葉類Ｐは集積羽根車によって紙葉類集積装置１０に集積される。
【００１９】
紙葉類集積装置１０への１００枚目の通過と共に、分岐ゲートＧ０４によって紙葉類Ｐが紙葉類集積装置１０に続けて集積されるのを防止すると共に、続けて搬送される１０１枚目以降の正券の紙葉類Ｐを紙葉類集積装置１２に搬送するようにする。
【００２０】
このようにして紙葉類集積装置１０に集積された紙葉類は紙葉類集積装置１０の下部に配置された施封装置１１に移動後、図示しない紙帯で施封され、把Ｈが形成される。同様に紙葉類集積装置１２に集積された紙葉類Ｐは、施封装置１３に移動後、同様に紙帯で施封され、把Ｈは形成される。
【００２１】
このようにして形成された把Ｈは、次工程に送られる。この部分は、本発明の適用外であるために、その詳細の説明は省略する。
【００２２】
図２は、本発明の実施例１に係る紙葉類裁断装置９に搬送され、裁断される紙葉類Ｐを検知する方法を示す図である。また、図３は、図２に示す検知信号を処理するデレー回路及び論理和生成回路である。以下、図３も参照しながら説明する。
【００２３】
紙葉類判別装置６によって判別された紙葉類Ｐ１の判別結果は、搬送制御部２に送信される。搬送制御部２は、紙葉類Ｐ１の判別結果が損券の場合、当該紙葉類Ｐ１の先端がセンサＰＣ０５に到達すると分岐ゲート（裁断分岐ゲート）Ｇ０３を駆動し、当該紙葉類Ｐ１を裁断搬送路（第２搬送手段）５Ｂに搬送し、紙葉類裁断装置９側に供給する。一方、紙葉類Ｐの判別結果が正券の場合、当該紙葉類Ｐ１の先端がセンサＰＣ０５に到達しても分岐ゲートＧ０３を駆動せず、集積装置側である集積装置１０、１２側（正券方向）に搬送する。
【００２４】
上記裁断搬送路５Ｂに搬送された紙葉類Ｐ１は、センサ（第１センサ）ＴＲ０３によって検知され、その検知信号（第１検知信号）ＴＲ０３が得られる。
【００２５】
この検知信号ＴＲ０３は、デレー回路２０に入力され、ここで、所定の時間、例えば、２６ｍｓ（第１の時間に該当し、所定の搬送速度で搬送した場合７８ｍｍに相当する）デレーしたデレー信号（第１デレー信号）ＴＲ０３ＤＬ１が生成される。同様に、検知信号ＴＲ０３は、デレー回路２１に入力され、ここで、所定の時間、例えば１３ｍｓ（第2の時間に該当し、所定の搬送速度で搬送した場合３９ｍｍに相当する）デレーしたデレー信号（第２デレー信号）ＴＲ０３ＤＬ２が生成される。
【００２６】
また、上記デレー信号ＴＲ０３ＤＬ１及びデレー信号ＴＲ０３ＤＬ２は、論理和生成回路（ＯＲ回路）２２に入力されて論理和が生成されデレー信号ＴＲ０３ＤＬが生成される。
【００２７】
さらに紙葉類裁断装置９の紙葉類の入口の近傍にはセンサ（第２センサ）ＰＣ０９が配置されており、このセンサＰＣ０９による紙葉類Ｐ１の検知信号（第２検知信号）ＰＣ０９が得られる。このセンサＰＣ０９は、上記ＴＲ０３から１４３ｍｍ下方で、搬送方向と直行する位置である搬送方向の手前側にセンサＰＣ０９Ｆ及び奥側にセンサＰＣ０９Ｂそれぞれ１個配置されている。これらセンサＰＣ０９Ｆの検知信号ＰＣ０９Ｆ及びセンサＰＣ０９Ｂの検知信号ＰＣ０９Ｂは、論理和生成回路（ＯＲ回路）２３に入力されて論理和が生成され検知信号（第２検知信号）ＰＣ０９が生成される。
【００２８】
上記デレー信号ＴＲ０３ＤＬから検知信号ＰＣ０９までの距離は、最小紙葉類の搬送方向長さの１／２を超え、最大紙葉類の１／２を超えない範囲に設定される。例えば、最小紙葉類の搬送方向の長さが１２０ｍｍで、最大紙葉類の長さが２００ｍｍの場合、６０ｍｍ〜１００ｍｍの範囲に設定される。本実施例では、６５ｍｍに設定してある。
【００２９】
本実施例では、紙葉類Ｐが、センサＰＣ０９に到達するまでの間にデレー信号ＴＲ０３ＤＬが所定の長さ（例えば、４５ｍｍ）連続して出力されたとき、当該紙葉類Ｐは、上流から下流に向かって搬送されてきた紙葉類であるとする上流通過条件としている。この上流通過条件は、最小紙葉類の１／４を超え、最大紙葉類の１／４を超えない範囲に設定される。例えば、最小紙葉類が１２０ｍｍで最大紙葉類が２００ｍｍの場合、３０ｍｍ〜５０ｍｍの範囲となる。本実施例では、この値が４５ｍｍに設定してある。
【００３０】
上記上流通過条件を満たす紙葉類は、紙葉類の屑などではないため、所定の計数処理が満たされる場合には下流に配置された紙葉類裁断装置によって裁断することができる。
【００３１】
なお、本実施例では、周辺の機器の配置との関係でセンサＴＲ０３が中央に１個配置されている場合を想定している。
【００３２】
この上流通過条件の判別の結果、上流通過条件が満たされた場合、当該紙葉類Ｐ１は、分岐ゲートＧ０５が駆動され、紙葉類裁断装置９側に搬送されて裁断される。
【００３３】
一方、上記上流通過条件が満たされない場合、分岐ゲートＧ０５が駆動されないため、紙葉類P１は退避集積部８に集積される。
【００３４】
この退避集積部８は、裁断搬送路５Ｂに送られてきた紙葉類Ｐが誤裁断されるのを防止するために、裁断搬送路５Ｂ上で障害が発生したとき又は裁断可能な紙葉類と判別できなかった紙葉類を裁断せずに一時退避するために配置されている。この退避集積部８に集積された紙葉類は、操作員が確認後再処理等の処理が可能である。
【００３５】
図４は、図２に示す裁断搬送路５Bに配置された紙葉類Ｐを検知するセンサの出力を示す図である。ここでは、紙葉類Ｐがセンサを遮っている場合（暗状態）に“１”が出力されるものとして表示してある。この構成において、図示した一例は、損傷した紙葉類Ｐ１が図示矢印Ｂ方向に搬送された場合のセンサＴＲ０３及びセンサＰＣ０９の検知信号を示す。上述したようにセンサＴＲ０３は、紙葉類Ｐ１の搬送中央に１個配置されており、センサＰＣ０９は搬送方向手前側及び奥側にそれぞれ１個配置されている。
【００３６】
図４（１）は、上記センサＴＲ０３及びＰＣ０９の配置に基づき紙葉類Ｐ１の検知位置を示す。以下この紙葉類Ｐ１を例に説明する。
【００３７】
図４（２）は、センサＴＲ０３の検知信号ＴＲ０３である。切れ部分Ｐｔ１・Ｐｔ２及び穴部分Ｐｈに相当する部分が検知される。
【００３８】
図４（３）は、検知信号ＴＲ０３を７８ｍｍデレーしたデレー信号ＴＲ０３ＤＬ１で、搬送制御部２によって生成される。この７８ｍｍは、本実施例において、所定の搬送速度で搬送された場合の２６ｍｓに相当する。
【００３９】
図４（４）は、検知信号ＴＲ０３を３９ｍｍデレーしたデレー信号ＴＲ０３ＤＬ２で、搬送制御部２によって生成される。この３９ｍｍは、本実施例において、所定の搬送速度で搬送された場合の１３ｍｓに相当する。
【００４０】
図４（５）は、デレー信号ＴＲ０３ＤＬ１及びデレー信号ＴＲ０３ＤＬ２の論理和（ＯＲ）信号であるデレー信号ＴＲ０３ＤＬである。このように、紙葉類の手前側又は奥側にそれぞれセンサを配置できない場合であっても紙葉類の搬送方向にデレーした２種類の信号を生成し、その各々の信号であるデレー信号ＴＲ０３ＤＬ１及びデレー信号ＴＲ０３ＤＬ２のＯＲ信号を生成することによって切れ又は穴のない信号にすることができる。
【００４１】
図４（６）は、検知信号ＰＣ０９手前側の検知信号ＰＣ０９Ｆである。
【００４２】
図４（７）は、検知信号ＰＣ０９奥側の検知信号ＰＣ０９Ｂである。
【００４３】
図４（８）は、検知信号ＰＣ０９Ｆ及び検知信号ＰＣ０９Ｂの論理和（ＯＲ）信号である。このＯＲ信号は、従来から行われている方法で、搬送方向と直行する方向に２個のセンサＰＣ０９Ｆ、ＰＣ０９Ｂを配置し、このＯＲ信号を生成することによって切れ又は穴のない信号にすることができる。
【００４４】
図５は、上記図４に示す検知信号に基づく実際の動作を示す図である。
【００４５】
最初に、供給部４に供給された紙葉類Ｐは、取出ローラ４Ｂによって取出され搬送路５によって搬送される（第１工程）。
【００４６】
次に、搬送された紙葉類Ｐは、紙葉類判別装置６によって判別される（第２工程）。
【００４７】
この第２工程による判別の結果、損券と判別された紙葉類Ｐは、分岐ゲートＧ０３によって分岐され（第３工程）、裁断搬送路５Ｂにより搬送される（第４工程）。
【００４８】
次に、第４工程により搬送された紙葉類ＰをセンサＴＲ０３で検知する（第５工程、図５（１））。
【００４９】
次に、この第５工程で検知した検知信号ＴＲ０３をデレー回路２０でデレーしてデレー信号ＴＲ０３ＤＬ１を生成する（第６工程、図５（２））。
【００５０】
同様に、検知信号ＴＲ０３をデレー回路２１でデレーしてデレー信号ＴＲ０３ＤＬ２を生成する（第７工程、図５（３））。
【００５１】
次に、検知信号ＴＲ０３のデレー信号ＴＲ０３ＤＬ１とＴＲ０３ＤＬ２から生成したデレー信号ＴＲ０３を生成する（第８工程、図５（４））。このデレー信号ＴＲ０３ＤＬは、デレー信号ＴＲ０３ＤＬ１とデレー信号ＴＲ０３ＤＬ２か生成され、切れ、穴などが補正されたデレー信号ＴＲ０３ＤＬとなる。
【００５２】
次に、検知信号ＰＣ０９Ｆと検知信号ＰＣ０９Ｂから論理和を生成し検知信号ＰＣ０９を生成する（第９工程、図５（５））。この検知信号ＰＣ０９と、ＴＲ０３ＤＬを用いて、損券として裁断してよい紙葉類であることの確認を行う。すなわち、検知信号ＰＣ０９が出力されたとき（暗状態）に、図５（４）に示すデレー信号ＴＲ０３ＤＬの暗状態が、４５ｍｍ以上暗が継続していた場合を紙葉類Ｐ１が上流から下流に向かって搬送された紙葉類Ｐ１であると判断する（上流通過条件、第１０工程）。この方法によれば、図示した例では、６５ｍｍ暗が継続していることになり上流通過条件を満たす。以上の通過条件を満たす紙葉類Ｐ１は、正に裁断してもよい紙葉類であると判断される（第１１工程）。
【００５３】
以上説明したように本発明によれば、裁断紙葉類に切れ・穴などが存在する場合、紙葉類を検知するセンサが搬送中央に１個しか配置されない場合であっても、紙葉類を誤認識することによる誤計数や、誤裁断などを防止することができる。なお、本実施例では、ＴＲ０３を紙葉類の搬送センターに配置した場合に付いて説明したが、センサＰＣ０９のように搬送路に対して搬送方向の手前と奥とにそれぞれ配置した信号をＯＲにして生成した信号を検知信号ＴＲ０３とした場合は、本発明の効果が得られるだけでなく、従来から行われてきた検知信号の手前と奥に配置した場合の効果も得られる。
【図面の簡単な説明】
【００５４】
【図１】本発明の実施例１による紙葉類裁断装置を搭載した紙葉類処理装置の概略構成図。
【図２】図１に示す紙葉類裁断装置に係る裁断搬送路に配置されるセンサの配置位置を示す図。
【図３】図２に示す検知信号を処理するデレー回路及び論理和生成回路。
【図４】図２に示す裁断搬送路に配置された紙葉類検知センサの検知出力を示す図。
【図５】図４に示す検知信号に基づく効果を示す図。
【符号の説明】
【００５５】
Ｈ  把
Ｐ  紙葉類
Ｇ０２〜Ｇ０５  分岐ゲート
１  紙葉類処理装置
２  搬送制御部
４  供給部
４Ｂ  取出ローラ
５  搬送路
５Ｂ  裁断搬送路
６  紙葉類判別装置
７  排除券集積装置
８  退避集積部
９  紙葉類再ファン
１０、１２  集積装置
１１、１３  施封装置
【図１】
2008183474.tif 000003
【図２】
2008183474.tif 000004
【図３】
2008183474.tif 000005
【図４】
2008183474.tif 000006
【図５】
2008183474.tif 000007